(57)【要約】 【課題】  嵌合抵抗の低減を図る。【解決手段】  ハウジング２の外側面における幅方向両側面９に左右一対の凸部１０が設けられ、フード部１の内側面における幅方向両側面１３に左右一対の凹部２０が設けられている。凹部２０と凸部１０とは、前後方向に沿って延出して形成され、互いに嵌合可能とされる。両コネクタＦ，Ｍの嵌合途中では、凹部２０のテーパ面２０Ｂと凸部１０の両端角部１０Ｅとが互いに摺り合う一方で、これらを除いたフード部１の内側面とハウジング２の外側面とが互いに非接触とされる。【選択図】  図１
2006236903.tif 000002
【特許請求の範囲】
【請求項１】
第１のコネクタには筒状のフード部が備えられ、前記フード部内には第２のコネクタのハウジングが嵌合可能とされ、前記ハウジングの外側面と前記フード部の内側面のいずれか一方に、両コネクタの嵌合方向に沿って延びる凹部が設けられ、他方に、前記凹部と嵌合可能な凸部が設けられ、これら凹部と凸部とが前記ハウジングの高さ方向の両端または幅方向の両端に少なくとも一対配置されているコネクタにおいて、
前記両コネクタの嵌合途中では、前記凹部の内側面と前記凸部の外側面とが互いに摺り合う一方で、両者を除いた前記フード部の内側面と前記ハウジングの外側面とが互いに非接触とされることを特徴とするコネクタ。
【請求項２】
前記凸部の外側面と前記凹部の内側面とが幅方向及び高さ方向に遊動規制された状態で摺り合うことにより、前記ハウジングのがた止めがなされることを特徴とする請求項１に記載のコネクタ。
【請求項３】
前記凸部の外側面と前記凹部の内側面のうちのいずれか一方が前記両コネクタの嵌合方向と直交する方向に傾斜するテーパ面とされ、このテーパ面が他方と線接触状に摺り合うことを特徴とする請求項２に記載のコネクタ。
【請求項４】
前記凹部は前記凸部に対する嵌合初期位置から嵌合終端位置にかけて徐々に幅狭に形成され、前記凸部は前記凹部に対して前記嵌合終端位置でのみ圧入されることを特徴とする請求項２または請求項３のいずれかに記載のコネクタ。
【発明の詳細な説明】
【技術分野】
【０００１】
本発明は、コネクタに関する。
【背景技術】
【０００２】
一般的にコネクタは、互いに嵌合可能な雌雄の両コネクタによって構成される。雄コネクタは角筒状のフード部を備え、雌コネクタはフード部に内嵌可能な雌ハウジングを備えている。雌ハウジングの外側面にはガイド突起が設けられ、フード部の内側面にはガイド突起と嵌合可能なガイド溝が前後方向に沿って設けられている（例えば、以下の特許文献１を参照）。
【特許文献１】特開平９−１２９３１１号公報
【発明の開示】
【発明が解決しようとする課題】
【０００３】
ところで、両コネクタの嵌合時には、ガイド突起の外側面とガイド溝の内側面とが摺り合うとともに、両者を含めた雌ハウジングの外側面とフード部の内側面とが全面的に摺り合うような構造をとっているから、嵌合抵抗が大きくなって作業負担になる懸念があった。
本発明は上記のような事情に基づいて完成されたものであって、嵌合抵抗を低くすることを目的とする。
【課題を解決するための手段】
【０００４】
上記の目的を達成するための手段として、請求項１の発明は、第１のコネクタには筒状のフード部が備えられ、前記フード部内には第２のコネクタのハウジングが嵌合可能とされ、前記ハウジングの外側面と前記フード部の内側面のいずれか一方に、両コネクタの嵌合方向に沿って延びる凹部が設けられ、他方に、前記凹部と嵌合可能な凸部が設けられ、これら凹部と凸部とが前記ハウジングの高さ方向の両端または幅方向の両端に少なくとも一対配置されているコネクタにおいて、前記両コネクタの嵌合途中では、前記凹部の内側面と前記凸部の外側面とが互いに摺り合う一方で、両者を除いた前記フード部の内側面と前記ハウジングの外側面とが互いに非接触とされることを、構成としたところに特徴を有する。
【０００５】
請求項２の発明は、請求項１に記載のものにおいて、前記凸部の外側面と前記凹部の内側面とが幅方向及び高さ方向に遊動規制された状態で摺り合うことにより、前記ハウジングのがた止めがなされるところに特徴を有する。
【０００６】
請求項３の発明は、請求項２に記載のものにおいて、前記凸部の外側面と前記凹部の内側面のうちのいずれか一方が前記両コネクタの嵌合方向と直交する方向に傾斜するテーパ面とされ、このテーパ面が他方と線接触状に摺り合うところに特徴を有する。
請求項４の発明は、請求項２または請求項３に記載のものにおいて、前記凹部は前記凸部に対する嵌合初期位置から嵌合終端位置にかけて徐々に幅狭に形成され、前記凸部は前記凹部に対して前記嵌合終端位置でのみ圧入されるところに特徴を有する。
【発明の効果】
【０００７】
＜請求項１の発明＞
第１及び第２の両コネクタの嵌合途中では、凹部の内側面と凸部の外側面とが互いに摺り合う一方で、両者を除いたフード部の内側面とハウジングの外側面とが互いに非接触とされるから、嵌合抵抗を低く抑えることができる。
【０００８】
＜請求項２の発明＞
凸部の外側面と凹部の内側面が遊動規制された状態で摺り合うことでハウジングのがた止めがなされるから、両コネクタの嵌合動作が安定化する。
【０００９】
＜請求項３の発明＞
凸部の外側面と凹部の内側面のうちのいずれか一方がハウジングの嵌合方向と直交する方向に傾斜するテーパ面とされ、このテーパ面が他方と線接触状に摺り合うから、嵌合抵抗をより一層低くすることができる。
＜請求項４の発明＞
凹部は凸部に対する嵌合初期位置から嵌合終端位置に向けて徐々に幅狭に形成され、凸部は凹部に対して嵌合終端位置でのみ圧入されるから、嵌合動作の終盤に至るまでは両コネクタの嵌合抵抗を小さく抑えたままにすることができる。
【発明を実施するための最良の形態】
【００１０】
＜実施形態１＞
本発明の実施形態１を図１によって説明する。本実施形態のコネクタは、互いに嵌合可能な雌雄の両コネクタＦ，Ｍによって構成され、雄コネクタＭはフード部１を、雌コネクタＦはハウジング２を、それぞれ備えている。なお、以下の説明において前後方向については、互いの嵌合面側を前方とする。
【００１１】
まず、雌コネクタＦのハウジング２について説明する。ハウジング２は、合成樹脂材により形成され、その内部には雌端子金具４を収容可能なキャビティ３が前後方向に貫通して形成されている。各キャビティ３内には雌端子金具４が挿入可能とされ、雌端子金具４は、相手の雄タブ７が挿入接続される角筒形の本体部５と、その後側に設けられ、電線８の端末に圧着されるバレル部６とから構成される（実施形態３を説明するための図面である図３を参照）。雌端子金具４は、後方からキャビティ３内に挿入され、キャビティ３内に設けられたランス（図示せず）により抜け止め状態で係止される。
【００１２】
ハウジング２の外側面における幅方向両側面９には左右一対の凸部１０が設けられている。両凸部１０は、互いに同形同大でハウジング２の前後方向に沿ったリブ状をなし、ハウジング２の幅方向両側面９の高さ方向中央部にて互いに同じ高さ位置に配置されている。また、両凸部１０の前端位置とハウジング２の前面位置とは互いに揃えられている。詳しくは、凸部１０は、断面長方形状で前後方向に延出して形成され、その突出方向に沿って一対の水平面１０Ａを有するとともに、その突出端面に略鉛直に切り立つ垂直面１０Ｂを有して構成される。この凸部１０は、後述するように、雄コネクタＭ側の凹部２０に嵌合可能となっている。
【００１３】
続いて雄コネクタＭについて説明する。雄コネクタＭは、同じく合成樹脂材により形成され、雄タブ７の後端部を収容可能な端子収容部１２とその前方に一回り大きく形成された角筒状のフード部１とを備えている（実施形態３を説明するための図面である図３を参照）。フード部１は、横長方形状に開口して形成され、雌コネクタＦ側のハウジング２が内嵌可能とされる。両コネクタＦ，Ｍの嵌合途中及び嵌合後においては、フード部１の内側面とハウジング２の外側面との間に、後述する凹凸嵌合領域３０を除いて一定間隔があけられ、もって両面が当たり合わないように設定されている。
【００１４】
そして、フード部１の内側面における幅方向両側面１３には一対の凹部２０が設けられている。両凹部２０は、両凸部１０と対応する位置に、互いに同形同大で前後方向に沿って延出して形成され、フード部１の幅方向両側面１３の前面に開口しここから凸部１０を受け入れ可能となっている。
【００１５】
凹部２０内は、底面２０Ａとその両端に連なる一対のテーパ面２０Ｂとからなり、全体として台形状をなす。両テーパ面２０Ｂは、長さ方向の全長に亘ってほぼ同じ傾斜角をもって構成され、かつ、底面２０Ａの両端からフード部１の内方へ向けて徐々に互いの離間距離を広げる形態とされる。両コネクタＦ，Ｍの嵌合に伴い、凸部１０が凹部２０内に挿入されると、凸部１０の両端角部１０Ｅが凹部２０の両テーパ面２０Ｂに線接触状に摺り合うようになっている。
【００１６】
次に、本実施形態の作用効果を説明する。まず、凹部２０の開口に凸部１０の前端を適合させつつフード部１内にハウジング２を進入させる。すると、凹部２０と凸部１０とによる嵌合動作が開始され（本発明の嵌合初期位置に相当）、フード部１とハウジング２との間に凹凸嵌合領域３０が形成される。さらにフード部１内にハウジング２を深く進入させると、凸部１０の両端角部１０Ｅと凹部２０の両テーパ面２０Ｂとが線接触状に摺り合いながらその嵌合動作が進行する。この間、凹凸嵌合領域３０を除いたフード部１の内側面とハウジング２の外側面とは互いに接触することはない。
【００１７】
その後、フード部１の奥面にハウジング２が突き当たると（本発明の嵌合終端位置に相当）、雌雄の両端子金具が正規深さで嵌合される。この状態では、凸部１０の両端角部１０Ｅと凹部２０の両テーパ面２０Ｂとが線接触状に当たり合った状態を維持するとともに、凹凸嵌合領域３０を除いたフード部１の内側面とハウジング２の外側面も互いに非接触状態を維持する。
【００１８】
このように本実施形態によれば、両コネクタＦ，Ｍの嵌合途中で、凹部２０のテーパ面２０Ｂと凸部１０の両端角部１０Ｅとが互いに摺り合う一方で、両者を除いたフード部１の内側面とハウジング２の外側面とが互いに非接触とされるから、両コネクタＦ，Ｍの嵌合抵抗を低く抑えることができる。しかも、凹部２０のテーパ面２０Ｂと凸部１０の両端角部１０Ｅとが線接触状に摺り合うから、嵌合抵抗をより一層低く抑えることができる。
【００１９】
また、両コネクタＦ，Ｍの嵌合途中では凹部２０のテーパ面２０Ｂと凸部１０の両端角部１０Ｅとが高さ方向及び幅方向に遊動規制された状態で接触しており、したがってフード部１内におけるハウジング２の遊動が規制されてがた止めがなされるから、両コネクタＦ，Ｍの嵌合動作が安定化する。
【００２０】
＜実施形態２＞
次に、本発明の実施形態２を図２によって説明する。実施形態２では、ハウジング２に設けられた凸部１０の形状、及び雄コネクタＭのフード部１に設けられた凹部２０の形状が実施形態１とは異なる。その他は、実施形態と概ね同様であり、上記実施形態１と同様の構成部位については、同一符号を付して重複する記載は省略する。
【００２１】
ハウジング２側に設けられた凸部１０は、断面台形状をなして前後方向に延出して形成され、略鉛直に切り立つ垂直面１０Ｂとその両端に連なる一対のテーパ面１０Ｆとを備えている。両テーパ面１０Ｆは、ハウジング２の幅方向両側面９から突出端面にかけて徐々に互いの離間距離を狭める形態とされる。
【００２２】
一方、フード部１側に設けられた凹部２０は、断面長方形状をなして前後方向に延出して形成されている。凹部２０内は、略鉛直に切り立つ垂直面２０Ａとその両端から水平に延出する一対の水平面２０Ｅとによって構成される。
【００２３】
凹部２０内に凸部１０が嵌入すると、凹部２０の開口縁部２０Ｆに凸部１０のテーパ面１０Ｆが線接触状に当たり合うようになっている。
実施形態２と実施形態１とは、テーパ面２０Ｂの形成位置が凸部１０側にあるか凹部２０側にあるかの違いでしかなく、作用効果はほぼ同じである。
【００２４】
＜実施形態３＞
図３は、本発明の実施形態３を示す。実施形態３では、凸部１０及び凹部２０のそれぞれの形状が実施形態１および実施形態２とは若干異なっている。
すなわち、ハウジング２側に設けられた凸部１０は、前後方向に延出して形成されるとともに前端から後端にかけて少しずつ幅広に形成されている。
一方、フード部１側に設けられた凹部２０は、同じく前後方向に延出して形成されるとともに前端から後端にかけて少しずつ幅狭に形成されている。そして、両コネクタＦ，Ｍの嵌合動作が終了する嵌合終端位置に至って初めて凹部２０内に凸部１０が圧入されるようになっている。したがって、両コネクタＦ，Ｍの嵌合動作の終盤に至るまでは、嵌合抵抗を小さく抑えたままにすることができる。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、雄コネクタ側に凹部が設けられ、雌コネクタ側に凸部が設けられていたが、本発明においては、雄コネクタ側に凸部が設けられ、雌コネクタ側に凹部が設けられていてもよい。
（２）上記実施形態では、凸部がハウジングの前後方向に沿ってリブ状に延出して形成されていたが、本発明においては、凸部がリブ状に延出することなく突状をなすものであってもよい。
（３）上記実施形態では、凹部と凸部とがハウジングの幅方向両側面に一対配置されていたが、本発明においては、凹部と凸部とがハウジングの幅方向両側面に二対以上配置されていてもよく、また凹部と凸部とが高さ方向に配置されていてもよい。
（４）上記実施形態では、凹部の内側面と凸部の外側面とが、テーパ面を介して線当たりしていたが、本発明においては、凹部の内側面と凸部の外側面とが、全面的に面当たりしていてもよい。
（５）上記実施形態では、両コネクタの嵌合後にも凹凸嵌合領域を除いたフード部の内側面とハウジングの外側面とが非接触とされていたが、本発明においては、両コネクタの嵌合後には凹凸嵌合領域を含めたフード部の内側面とハウジングの外側面とが接触していてもよい。
【図面の簡単な説明】
【００２６】
【図１】本発明の実施形態１のコネクタの正面図
【図２】実施形態２のコネクタの正面図
【図３】実施形態３のコネクタの嵌合前における側面図
【符号の説明】
【００２７】
Ｆ…雌コネクタ（第２のコネクタ）
Ｍ…雄コネクタ（第１のコネクタ）
１…フード部
２…ハウジング
３…キャビティ
１０…凸部
１０Ｅ…両端角部
２０…凹部
２０Ｂ…テーパ面
【図１】
2006236903.tif 000003
【図２】
2006236903.tif 000004
【図３】
2006236903.tif 000005